【手続補正書】
【提出日】平成20年12月11日(2008.12.11)
【手続補正１】
【補正対象書類名】特許請求の範囲
【補正対象項目名】全文
【補正方法】変更
【補正の内容】
【特許請求の範囲】
【請求項１】
所定ビット数のデータ列と所定ビット数の符号列とが互いに対応付けられた対応テーブルに従い予め上記データ列から変調された上記符号列を、上記対応テーブルに従い上記データ列に復調する復調部
を有し、
上記符号列は、
ＮＲＺＩ（Not Return to Zero Inverse）方式において上記符号列の記録チャンネル又は通信チャンネルにおける周波数スペクトルのヌル点と上記符号列が含まれＰＲ（Partial Response）等化された信号における周波数スペクトルのヌル点とが一致されたＭＳＮ（Matched Spectral Null）符号列でなり、且つ最小ランが１以上に制限されている
復調装置。
【請求項２】
上記データ列は１６ビットでなり、
上記ＭＳＮ符号列は、最小ランが１に制限されると共に符号長が２６ビットでなる
請求項１に記載の復調装置。
【請求項３】
上記ＭＳＮ符号列は、
当該ＭＳＮ符号列の先頭から連続する符号”０”の最大数を表す先頭ランが６に制限され、当該ＭＳＮ符号列の末尾まで連続する符号”０”の最大数を表す末尾ランが８に制限され、当該ＭＳＮ符号列における上記先頭からの符号”０”の連続部分及び上記末尾までの符号”０”の連続部分を除いた部分において連続する符号”０”の最大数を表す中央ランが１４に制限された
請求項２に記載の復調装置。
【請求項４】
上記符号列は、上記先頭ランが７に制限され、上記末尾ランが７に制限され、上記中央ランが１４に制限された
請求項３に記載の復調装置。
【請求項５】
上記ＭＳＮ符号列は、
先頭部分が符号列”１０１”であり当該先頭部分からのランが最小値となる最短ラン符号”１０”の繰返回数の最大値（ＲＭＴＲ）を表す正側先頭ＲＭＴＲが４に制限され、末尾部分が符号列”０１０”であり当該末尾部分までの上記ＲＭＴＲを表す正側末尾ＲＭＴＲを５に、上記先頭部分が符号列”１０１”であり上記先頭から上記最短ラン符号が連続して繰り返される部分及び上記末尾まで上記最短ラン符号が連続して繰り返される部分以外における上記ＲＭＴＲを表す正側中央ＲＭＴＲが１０に制限され、上記先頭部分が符号列”０１０”であり当該先頭部分からの上記ＲＭＴＲを表す負側先頭ＲＭＴＲが１０に制限され、上記先頭部分が符号列”０１０”であり上記先頭から上記最短ラン符号が連続して繰り返される部分及び上記末尾まで上記最短ラン符号が連続して繰り返される部分以外における上記ＲＭＴＲを表す負側中央ＲＭＴＲが１０に制限された
請求項３又は請求項４に記載の復調装置。
【請求項６】
上記データ列は１６ビットでなり、
上記符号列は、最小ランが２に制限されると共に符号長が３４ビットでなる
請求項１に記載の復調装置。
【請求項７】
上記ＭＳＮ符号列は、
当該ＭＳＮ符号列の先頭から連続する符号”０”の最大数を表す先頭ランが１４に制限され、当該ＭＳＮ符号列の末尾まで連続する符号”０”の最大数を表す末尾ランが１６に制限され、当該ＭＳＮ符号列における上記先頭からの符号”０”の連続部分及び上記末尾までの符号”０”の連続部分を除いた部分において連続する符号”０”の最大数表す中央ランが３０に制限された
請求項６に記載の復調装置。
【請求項８】
上記ＭＳＮ符号列は、
先頭部分が符号列”１００１”であり当該先頭部分からのランが最小値となる最短ラン符号”１００”の繰返回数の最大値（ＲＭＴＲ）を表す正側先頭ＲＭＴＲが１４に制限され、末尾部分が符号列”０１００”であり当該末尾部分までの上記ＲＭＴＲを表す正側末尾ＲＭＴＲを１６に、上記先頭部分が符号列”１００１”であり上記先頭から上記最短ラン符号が連続して繰り返される部分及び上記末尾まで上記最短ラン符号が連続して繰り返される部分以外における上記ＲＭＴＲを表す正側中央ＲＭＴＲが３０に制限された
請求項７に記載の復調装置。
【請求項９】
ランの最小値ｄが１以上に制限されたＰＲ等化の状態遷移図と上記制限分割状態遷移図とを基に構成されたトレリス構造に従い、上記伝送路を介して取得した信号に対してＰＲ等化処理及び最尤復号処理を行うことにより上記符号列を検出するＴＣＰＲＭＬ（Trellis Coded Partial Response Maximum Likelihood）検出部と
を有する請求項１に記載の復調装置。
【請求項１０】
所定ビット数のデータ列と所定ビット数の符号列とが互いに対応付けられた対応テーブルに従い予め上記データ列から変調された上記符号列を、上記対応テーブルに従い上記データ列に復調する復調ステップ
を有し、
上記符号列は、
ＮＲＺＩ方式において上記符号列の記録チャンネル又は通信チャンネルにおける周波数スペクトルのヌル点と上記符号列が含まれＰＲ等化された信号における周波数スペクトルのヌル点とが一致されたＭＳＮ符号列でなり、且つ最小ランが１以上に制限されている
復調方法。
【請求項１１】
情報処理装置に対して、
所定ビット数のデータ列と所定ビット数の符号列とが互いに対応付けられた対応テーブルに従い予め上記データ列から変調された上記符号列を、上記対応テーブルに従い上記データ列に復調する復調ステップ
を実行させ、
上記符号列は、
ＮＲＺＩ方式において上記符号列の記録チャンネル又は通信チャンネルにおける周波数スペクトルのヌル点と上記符号列が含まれＰＲ等化された信号における周波数スペクトルのヌル点とが一致されたＭＳＮ符号列でなり、且つ最小ランが１以上に制限されている
復調プログラム。
【請求項１２】
所定ビット数のデータ列と所定ビット数の符号列とが互いに対応付けられた対応テーブルに従い、上記データ列から上記符号列に変調することにより、所定の復調部において上記対応テーブルに従い当該符号列から上記データ列に復調させる変調部
を有し、
上記符号列は、
ＮＲＺＩ方式において上記符号列の記録チャンネル又は通信チャンネルにおける周波数スペクトルのヌル点と上記符号列が含まれＰＲ等化された信号における周波数スペクトルのヌル点とが一致されたＭＳＮ符号列でなり、且つ最小ランが１以上に制限されている
変調装置。
【請求項１３】
上記変調部は、
順次入力される上記データを（ｍ×Ｍ−１）ビット（ただしＭは２以上の整数）の上記データ列でなるデータブロック毎に区切り、上記付加データブロックにおける先頭からｍ×（Ｍ−１）ビットでなる（Ｍ−１）個の上記データ列を上記対応テーブルに従って（Ｍ−１）個のＭＳＮ符号列に順次変調するブロック変調手段と、
上記付加データブロックにおける末尾から（ｍ−１）ビットの上記データ列に付加ビット”０”又は付加ビット”１”を付加した２通りの付加データを生成し、それぞれ上記対応テーブルに従って２通りの付加符号列に変調する付加変調手段と、
上記２通りの付加符号列と、当該付加符号列より後に変調された（Ｍ−１）個のＭＳＮ符号列とを一時的に記憶する記憶手段と、
上記記憶手段に記憶している上記２通りの付加符号列に続けて上記（Ｍ−１）個のＭＳＮ符号列を出力する場合の、Ｍ個の符号列におけるＤＳＶ（Digital Sum Value）をそれぞれ算出し、上記２通りの付加符号列のうち上記ＤＳＶが０に近い方の付加符号列を選択して上記（Ｍ−１）個のＭＳＮ符号列と共に順次出力することにより上記符号列のＤＣ（Direct Current）コントロールを行う付加符号列選択手段と
を有する請求項１２に記載の変調装置。
【請求項１４】
所定ビット数のデータ列と所定ビット数の符号列とが互いに対応付けられた対応テーブルに従い、上記データ列から上記符号列に変調することにより、所定の復調部において上記対応テーブルに従い当該符号列から上記データ列に復調させる変調ステップ
を有し、
上記符号列は、
ＮＲＺＩ方式において上記符号列の記録チャンネル又は通信チャンネルにおける周波数スペクトルのヌル点と上記符号列が含まれＰＲ等化された信号における周波数スペクトルのヌル点とが一致されたＭＳＮ符号列でなり、且つ最小ランが１以上に制限されている
変調方法。
【請求項１５】
情報処理装置に対して、
所定ビット数のデータ列と所定ビット数の符号列とが互いに対応付けられた対応テーブルに従い、上記データ列から上記符号列に変調することにより、所定の復調部において上記対応テーブルに従い当該符号列から上記データ列に復調させる変調ステップ
を実行させ、
上記符号列は、
ＮＲＺＩ方式において上記符号列の記録チャンネル又は通信チャンネルにおける周波数スペクトルのヌル点と上記符号列が含まれＰＲ等化された信号における周波数スペクトルのヌル点とが一致されたＭＳＮ符号列でなり、且つ最小ランが１以上に制限されている
変調プログラム。
【請求項１６】
符号列の記録チャンネル又は伝送チャンネルにおける周波数スペクトルのヌル点と上記符号列が含まれＰＲ等化された信号における周波数スペクトルのヌル点とを一致させたＭＳＮ符号列を生成する符号列生成方法であって、
上記ＭＳＮ符号列における最小ランが値ｄ（ただしｄは１以上の整数）に制限されると共にＮＲＺＩ方式における上記符号列のＡＤＳ（Alternating Digital Sum）の値が制限された制限状態遷移図（ＦＳＴＤ：Finite State Transition Diagram）における各状態が、当該状態に遷移する直前に出力したｄ個の符号でなる直前符号列の種類に応じたｄ＋１個の状態に分割され、分割された各状態から次の状態への遷移を上記直前符号列に応じて制限することにより当該次の状態への遷移時に出力する符号が制限された制限分割状態遷移図を形成する状態遷移図形成ステップと、
上記制限分割状態遷移図に従い、上記ＮＲＺＩ方式における符号”１”の連続した出力が禁止され最小ランが１以上に制限されたＭＳＮ符号列を生成する符号列生成ステップと
を有する符号列生成方法。
【請求項１７】
上記状態遷移図形成ステップは、
上記分割された各状態において、対応付けられた上記直前符号列に符号”１”が含まれている場合、符号”０”を出力して上記次の状態へ遷移するよう制限された上記制限分割状態遷移図を形成する
請求項１６に記載の符号列生成方法。
【請求項１８】
上記制限分割状態遷移図は、
上記ＡＤＳの絶対値同士が等しい二つの状態が一つの状態に縮退されている
請求項１７に記載の符号列生成方法。
【請求項１９】
上記符号列生成ステップは、
上記制限分割状態遷移図における所定の初期状態からｎ回（ｎは１以上の整数）遷移して所定の終端状態へ遷移することにより符号長ｎでなる上記符号列を生成する
請求項１７に記載の符号列生成方法。
【請求項２０】
所定ビット数のデータから変調された所定ビット数の符号列が記録された記録媒体であって、
上記符号列は、
ＮＲＺＩ方式において上記記録媒体における周波数スペクトルのヌル点と上記符号列が含まれＰＲ等化された再生信号における周波数スペクトルのヌル点とが一致されたＭＳＮ符号列でなり、且つ最小ランが１以上に制限されている
記録媒体。